(57)【特許請求の範囲】
【請求項１】
ページ記述言語で記述されたプリント情報をもとにプリントを依頼する側の第１のシステムで出力される第１の出力イメージと、該プリント情報をもとに依頼されたプリント出力を行う側の第２のシステムでプリント出力される第２の出力イメージとに差異が生じたか否かを当該第２のシステムにおけるプリント出力前に検証する出力イメージ事前検証システムにおいて、
前記第１のシステムは、
前記プリント情報をもとに前記第１の出力イメージを生成する第１のイメージ生成手段と、
前記第１の出力イメージに対して所定のイメージ処理を行う第１のイメージ処理手段と、
前記プリント情報、前記所定のイメージ処理結果である第１のイメージ及び前記所定のイメージ処理に関する制御情報であるイメージ処理制御情報を前記第２のシステムに転送する転送手段と
を具備し、
前記第２のシステムは、
前記プリント情報をもとに前記第２の出力イメージを生成する第２のイメージ生成手段と、
前記第２の出力イメージに対し、前記イメージ処理制御情報をもとに前記所定のイメージ処理を行う第２のイメージ処理手段と、
前記第２の出力イメージに対する前記所定のイメージ処理結果である第２のイメージと前記第１のイメージとを比較する処理を行う比較処理手段と、
前記比較処理手段による比較結果を出力する出力手段と
を具備したことを特徴とする出力イメージ事前検証システム。
【請求項２】
前記所定のイメージ処理は、前記第１のイメージの解像度を低くする処理であり、
前記比較処理手段は、前記第１のイメージと前記第２のイメージとの排他的論理和演算を行うことを特徴とする請求項１記載の出力イメージ事前検証システム。
【請求項３】
前記所定のイメージ処理は、第１の出力イメージあるいは第２の出力イメージのページ数を獲得する処理であり、
前記比較処理手段は、前記第１の出力イメージのページ数と第２の出力イメージのページ数とを比較することを特徴とする請求項１記載の出力イメージ事前検証システム。
【請求項４】
前記所定のイメージ処理は、第１の出力イメージあるいは第２の出力イメージの文字数及びイメージ数を獲得する処理であり、
前記比較処理手段は、前記第１の出力イメージの文字数及びイメージ数と、前記第２の出力イメージの文字数及びイメージ数とのそれぞれを比較することを特徴とする請求項１記載の出力イメージ事前検証システム。
【請求項５】
前記所定のイメージ処理は、第１の出力イメージあるいは第２の出力イメージのページ数、文字数、イメージ数を獲得する処理であり、
前記比較処理手段は、前記第１の出力イメージのページ数、文字数、イメージ数と、前記第２の出力イメージのページ数、文字数、イメージ数とのそれぞれを比較することを特徴とする請求項１記載の出力イメージ事前検証システム。
【請求項６】
前記所定のイメージ処理は、第１の出力イメージあるいは第２の出力イメージの各ページを所定のブロックに分割し、この分割されたブロック内における画素の黒部分の比率を獲得する処理であり、
前記比較処理手段は、前記第１の出力イメージの各ブロックの黒部分の比率と、前記第２の出力イメージの各ブロックの黒部分の比率とをそれぞれ比較することを特徴とする請求項１記載の出力イメージ事前検証システム。
【請求項７】
前記所定のイメージ処理は、前記第１の出力イメージあるいは第２の出力イメージの各ページを所定の圧縮処理で圧縮し、各ページ毎の圧縮処理前に対する圧縮後の圧縮率を獲得する処理であり、
前記比較処理手段は、前記第１の出力イメージの各ページ毎の圧縮率と前記第２の出力イメージの各ページ毎の圧縮率とをそれぞれ比較することを特徴とする請求項１記載の出力イメージ事前検証システム。
【請求項８】
ページ記述言語で記述されたプリント情報をもとにプリントを依頼する側の第１のシステムで出力される第１の出力イメージと、該プリント情報をもとに依頼されたプリント出力を行う側の第２のシステムでプリント出力される第２の出力イメージとに差異が生じたか否かを当該第２のシステムにおけるプリント出力前に検証する出力イメージ事前検証システムにおいて、
前記第１のシステムは、
前記プリント情報をもとに前記第１の出力イメージを生成する第１のイメージ生成手段と、
前記プリント情報、前記第１の出力イメージ、及び前記第１のイメージ生成手段によるイメージ生成処理に関する制御情報であるイメージ生成制御情報を前記第２のシステムに転送する転送手段と
を具備し、
前記第２のシステムは、
前記プリント情報をもとに前記第２の出力イメージを生成する第２のイメージ生成手段と、
前記第２の出力イメージに対し、前記イメージ生成制御情報をもとに前記イメージ生成処理を行うイメージ処理手段と、
前記第２の出力イメージに対する前記イメージ生成処理結果である第２のイメージと前記第１の出力イメージとを比較する処理を行う比較処理手段と、
前記比較処理手段による比較結果を出力する出力手段と、
を具備したことを特徴とする出力イメージ事前検証システム。
【請求項９】
前記比較処理手段は、前記第１のイメージと前記第２のイメージとの排他的論理和演算を行うことを特徴とする請求項８記載の出力イメージ事前検証システム。
【請求項１０】
ページ記述言語で記述されたプリント情報をもとにプリントを依頼する側の第１のシステムで出力される第１の出力イメージと、該プリント情報をもとに依頼されたプリント出力を行う側の第２のシステムでプリント出力される第２の出力イメージとに差異が生じたか否かを当該第２のシステムにおけるプリント出力前に検証する出力イメージ事前検証システムにおいて、
前記第１のシステムは、
前記プリント情報をもとに前記第１の出力イメージを生成する第１のイメージ生成手段と、
前記プリント情報および前記第１のイメージを前記第２のシステムに転送する転送手段とを具備し、
前記第２のシステムは、
前記プリント情報をもとに前記第２の出力イメージを生成する第２のイメージ生成手段と、
前記第２のイメージと前記第１のイメージとを比較する処理を行う比較処理手段と、
前記比較処理手段による比較結果を出力する出力手段と
を具備したことを特徴とする出力イメージ事前検証システム。
【請求項１１】
ページ記述言語で記述されたプリント情報をもとにプリントを依頼する側の第１のシステムで出力される第１の出力イメージと、該プリント情報をもとに依頼されたプリント出力を行う側の第２のシステムでプリント出力される第２の出力イメージとに差異が生じたか否かを当該第２のシステムにおけるプリント出力前に検証する出力イメージ事前検証方法において、
前記第１のシステムは、
前記プリント情報をもとに前記第１の出力イメージを第１のイメージ生成手段により生成し、
前記第１の出力イメージに対して第１のイメージ処理手段により所定のイメージ処理を行い、
前記プリント情報、前記所定のイメージ処理結果である第１のイメージ及び前記所定のイメージ処理に関する制御情報であるイメージ処理制御情報を前記第２のシステムに転送手段により転送し、
前記第２のシステムは、
前記プリント情報をもとに前記第２の出力イメージを第２のイメージ生成手段で生成し、
前記第２の出力イメージに対し、前記イメージ処理制御情報をもとに前記所定のイメージ処理を第２のイメージ処理手段により行い、
前記第２の出力イメージに対する前記所定のイメージ処理結果である第２のイメージと前記第１のイメージとを比較する処理を比較処理手段により行い、
前記比較処理手段による比較結果を出力手段により出力する
ことを特徴とする出力イメージ事前検証方法。
【請求項１２】
ページ記述言語で記述されたプリント情報をもとにプリントを依頼する側の第１のシステムで出力される第１の出力イメージと、該プリント情報をもとに依頼されたプリント出力を行う側の第２のシステムでプリント出力される第２の出力イメージとに差異が生じたか否かを当該第２のシステムにおけるプリント出力前に検証する出力イメージ事前検証方法において、
前記第１のシステムは、
前記プリント情報をもとに前記第１の出力イメージを第１のイメージ生成手段により生成し、
前記プリント情報、前記第１の出力イメージ、及び前記第１のイメージ生成手段によるイメージ生成処理に関する制御情報であるイメージ生成制御情報を前記第２のシステムに転送手段により転送し、
前記第２のシステムは、
前記プリント情報をもとに前記第２の出力イメージを第２のイメージ生成手段により生成し、
前記第２の出力イメージに対し、前記イメージ生成制御情報をもとに前記イメージ生成処理をイメージ処理手段により行い、
前記第２の出力イメージに対する前記イメージ生成処理結果である第２のイメージと前記第１の出力イメージとを比較する処理を比較処理手段により行い、
前記比較処理手段による比較結果を出力手段により出力する
ことを特徴とする出力イメージ事前検証方法。
【請求項１３】
ページ記述言語で記述されたプリント情報をもとにプリントを依頼する側の第１のシステムで出力される第１の出力イメージと、該プリント情報をもとに依頼されたプリント出力を行う側の第２のシステムでプリント出力される第２の出力イメージとに差異が生じたか否かを当該第２のシステムにおけるプリント出力前に検証する出力イメージ事前検証方法において、
前記第１のシステムは、
前記プリント情報をもとに前記第１の出力イメージを第１のイメージ生成手段により生成し、
前記プリント情報および前記第１のイメージを前記第２のシステムに転送手段により転送し、
前記第２のシステムは、
前記プリント情報をもとに前記第２の出力イメージを第２のイメージ生成手段により生成し、
前記第２のイメージと前記第１のイメージとを比較する処理を比較処理手段により行い、
前記比較処理手段による比較結果を出力手段により出力する
ことを特徴とする出力イメージ事前検証方法。
【発明の詳細な説明】
【０００１】
【発明の属する技術分野】
本発明は、ＰＤＬ（Page Description Language：ページ記述言語）で記述されたプリント情報をもとにプリントを依頼する側の第１のシステムでプリント出力された第１の出力イメージと、該プリント情報をもとに依頼されたプリント出力を行う側の第２のシステムでプリント出力された第２の出力イメージとに差異が生じたか否かを当該第２のシステムにおけるプリント出力前に検証する出力イメージ事前検証システムおよび方法に関し、特にユーザがネットワークを介して高品質のプリント出力をプリントショップ等に依頼した際に、該プリントショップ等の側で依頼されたプリント出力の出力イメージをプリント出力前に簡易に検証することができる出力イメージ事前検証システムおよび方法に関する。
【０００２】
【従来の技術】
従来から、作成した文書等のプリントイメージをＣＲＴ等の表示装置の表示画面上に表示し、この表示されたプリントイメージをプリント処理前に確認できるものがある。
【０００３】
例えば、特開平５−６７１０６号公報には、文書処理装置本体が有するフォントがプリンタのフォントと異なる場合、プリンタのもつフォントによる印刷結果を文書処理装置側のＣＲＴ上に表示するものが記載されている。
【０００４】
また、特開平７−４０６０８号公報には、プリンタ言語で記述されたデータをホストコンピュータが印刷装置に送って印刷するシステムに関するもので、展開されたビットマップイメージをホストコンピュータに送信してページ毎に印刷処理継続の可否の指示を受けるようにするものが記載され、これによりユーザの期待に反した印刷結果となることを防ぎ、無駄な印刷を抑制するようにしている。
【０００５】
【発明が解決しようとする課題】
しかしながら、プリント依頼者がＰＤＬで記載されたプリント情報をもとに予めドラフトプリンタを用いて出力を望むプリントイメージを得ておき、このプリントイメージの出力を依頼された最終出力者がこのプリント情報をもとに高品質・高速・製本可能な最終出力プリンタから依頼されたプリントイメージを出力する場合、最終出力側のシステムは、プリント情報からイメージを作成する処理環境が依頼者側のシステムと異なるため、最終出力者は最終出力側のシステムにおいて、例えば一部試しを行って該依頼されたプリントイメージを検証したり、最終出力のプリントイメージを表示装置に表示して検証したりしていたが、次のような問題点があった。
【０００６】
すなわち、一部試しを行う場合、検証を行うのは本来プリント依頼者であるため、一部試しの結果を検証するためにプリント依頼者が最終出力側のシステムに居る必要があり、あるいは、一部試しの結果の最終出力のプリントイメージをプリント依頼者側にネットワーク等を介して転送する必要があり、プリント依頼者に負担がかかったり、効率的な検証が困難であるという問題点があった。
【０００７】
また、表示装置に最終出力のプリントイメージを表示する場合、表示装置の解像度はプリントイメージの解像度に比べて低いため、検証が困難であるとともに、プリントイメージの一部を拡大して全てのプリントイメージを検証する作業は非常に効率が悪いという問題点があった。
【０００８】
そこで、本発明は、かかる問題点を除去し、プリント依頼者に負担をかけず、最終出力者が最終出力のプリントイメージの検証をプリント出力前に効率的かつ確実に行うことができる出力イメージ事前検証システムおよび方法を提供することを目的とする。
【０００９】
【課題を解決するための手段】
第１の発明は、ページ記述言語で記述されたプリント情報をもとにプリントを依頼する側の第１のシステムで出力される第１の出力イメージと、該プリント情報をもとに依頼されたプリント出力を行う側の第２のシステムでプリント出力される第２の出力イメージとに差異が生じたか否かを前記第２のシステムにおけるプリント出力前に検証する出力イメージ事前検証システムにおいて、前記第１のシステムは、前記プリント情報をもとに前記第１の出力イメージを生成する第１のイメージ生成手段と、前記第１の出力イメージに対して所定のイメージ処理を行う第１のイメージ処理手段と、前記プリント情報、前記所定のイメージ処理結果である第１のイメージ及び前記所定のイメージ処理に関する制御情報であるイメージ処理制御情報を前記第２のシステムに転送する転送手段とを具備し、前記第２のシステムは、前記プリント情報をもとに前記第２の出力イメージを生成する第２のイメージ生成手段と、前記第２の出力イメージに対し、前記イメージ処理制御情報をもとに前記所定のイメージ処理を行う第２のイメージ処理手段と、前記第２の出力イメージに対する前記所定のイメージ処理結果である第２のイメージと前記第１のイメージとを比較する処理を行う比較処理手段と、前記比較処理手段による比較結果を出力する出力手段とを具備したことを特徴とする。
【００１０】
第２の発明は、第１の発明において、前記所定のイメージ処理は、前記第１の出力イメージの解像度を低くする処理であり、前記比較処理手段は、前記第１のイメージと前記第２のイメージとの排他的論理和演算を行うことを特徴とする。
【００１１】
第３の発明は、第１の発明において、前記所定のイメージ処理は、第１の出力イメージあるいは第２の出力イメージのページ数を獲得する処理であり、前記比較処理手段は、前記第１の出力イメージのページ数と第２の出力イメージのページ数とを比較することを特徴とする。
【００１２】
第４の発明は、第１の発明において、前記所定のイメージ処理は、第１の出力イメージあるいは第２の出力イメージの文字数及びイメージ数を獲得する処理であり、前記比較処理手段は、前記第１の出力イメージの文字数及びイメージ数と、前記第２の出力イメージの文字数及びイメージ数とのそれぞれを比較することを特徴とする。
【００１３】
第５の発明は、第１の発明において、前記所定のイメージ処理は、第１の出力イメージあるいは第２の出力イメージのページ数、文字数、イメージ数を獲得する処理であり、前記比較処理手段は、前記第１の出力イメージのページ数、文字数、イメージ数と、前記第２の出力イメージのページ数、文字数、イメージ数とのそれぞれを比較することを特徴とする。
【００１４】
第６の発明は、第１の発明において、前記所定のイメージ処理は、第１の出力イメージあるいは第２の出力イメージの各ページを所定のブロックに分割し、この分割されたブロック内における画素の黒部分の比率を獲得する処理であり、前記比較処理手段は、前記第１の出力イメージの各ブロックの黒部分の比率と、前記第２の出力イメージの各ブロックの黒部分の比率とをそれぞれ比較することを特徴とする。
【００１５】
第７の発明は、第１の発明において、前記所定のイメージ処理は、前記第１の出力イメージあるいは第２の出力イメージの各ページを所定の圧縮処理で圧縮し、各ページ毎の圧縮処理前に対する圧縮後の圧縮率を獲得する処理であり、前記比較処理手段は、前記第１の出力イメージの各ページ毎の圧縮率と前記第２の出力イメージの各ページ毎の圧縮率とをそれぞれ比較することを特徴とする。
【００１６】
第８の発明は、ページ記述言語で記述されたプリント情報をもとにプリントを依頼する側の第１のシステムで出力される第１の出力イメージと、該プリント情報をもとに依頼されたプリント出力を行う側の第２のシステムでプリント出力される第２の出力イメージとに差異が生じたか否かを当該第２のシステムにおけるプリント出力前に検証する出力イメージ事前検証システムにおいて、前記第１のシステムは、前記プリント情報をもとに前記第１の出力イメージを生成する第１のイメージ生成手段と、前記プリント情報、前記第１の出力イメージ、及び前記第１のイメージ生成手段によるイメージ生成処理に関する制御情報であるイメージ生成制御情報を前記第２のシステムに転送する転送手段とを具備し、前記第２のシステムは、前記プリント情報をもとに前記第２の出力イメージを生成する第２のイメージ生成手段と、前記第２の出力イメージに対し、前記イメージ生成制御情報をもとに前記イメージ生成処理を行うイメージ処理手段と、前記第２の出力イメージに対する前記イメージ生成処理結果である第２のイメージと前記第１の出力イメージとを比較する処理を行う比較処理手段と、前記比較処理手段による比較結果を出力する出力手段と、を具備したことを特徴とする。
【００１７】
第９の発明は、第８の発明において、前記比較処理手段は、前記第１のイメージと前記第２のイメージとの排他的論理和演算を行うことを特徴とする。
第１０の発明は、ページ記述言語で記述されたプリント情報をもとにプリントを依頼する側の第１のシステムで出力される第１の出力イメージと、該プリント情報をもとに依頼されたプリント出力を行う側の第２のシステムでプリント出力される第２の出力イメージとに差異が生じたか否かを当該第２のシステムにおけるプリント出力前に検証する出力イメージ事前検証システムにおいて、前記第１のシステムは、前記プリント情報をもとに前記第１の出力イメージを生成する第１のイメージ生成手段と、前記プリント情報および前記第１のイメージを前記第２のシステムに転送する転送手段とを具備し、前記第２のシステムは、前記プリント情報をもとに前記第２の出力イメージを生成する第２のイメージ生成手段と、前記第２のイメージと前記第１のイメージとを比較する処理を行う比較処理手段と、前記比較処理手段による比較結果を出力する出力手段とを具備したことを特徴とする。
第１１の発明は、ページ記述言語で記述されたプリント情報をもとにプリントを依頼する側の第１のシステムで出力される第１の出力イメージと、該プリント情報をもとに依頼されたプリント出力を行う側の第２のシステムでプリント出力される第２の出力イメージとに差異が生じたか否かを当該第２のシステムにおけるプリント出力前に検証する出力イメージ事前検証方法において、前記第１のシステムは、前記プリント情報をもとに前記第１の出力イメージを第１のイメージ生成手段により生成し、前記第１の出力イメージに対して第１のイメージ処理手段により所定のイメージ処理を行い、前記プリント情報、前記所定のイメージ処理結果である第１のイメージ及び前記所定のイメージ処理に関する制御情報であるイメージ処理制御情報を前記第２のシステムに転送手段により転送し、前記第２のシステムは、前記プリント情報をもとに前記第２の出力イメージを第２のイメージ生成手段で生成し、前記第２の出力イメージに対し、前記イメージ処理制御情報をもとに前記所定のイメージ処理を第２のイメージ処理手段により行い、前記第２の出力イメージに対する前記所定のイメージ処理結果である第２のイメージと前記第１のイメージとを比較する処理を比較処理手段により行い、前記比較処理手段による比較結果を出力手段により出力することを特徴とする。
第１２の発明は、ページ記述言語で記述されたプリント情報をもとにプリントを依頼する側の第１のシステムで出力される第１の出力イメージと、該プリント情報をもとに依頼されたプリント出力を行う側の第２のシステムでプリント出力される第２の出力イメージとに差異が生じたか否かを当該第２のシステムにおけるプリント出力前に検証する出力イメージ事前検証方法において、前記第１のシステムは、前記プリント情報をもとに前記第１の出力イメージを第１のイメージ生成手段により生成し、前記プリント情報、前記第１の出力イメージ、及び前記第１のイメージ生成手段によるイメージ生成処理に関する制御情報であるイメージ生成制御情報を前記第２のシステムに転送手段により転送し、前記第２のシステムは、前記プリント情報をもとに前記第２の出力イメージを第２のイメージ生成手段により生成し、前記第２の出力イメージに対し、前記イメージ生成制御情報をもとに前記イメージ生成処理をイメージ処理手段により行い、前記第２の出力イメージに対する前記イメージ生成処理結果である第２のイメージと前記第１の出力イメージとを比較する処理を比較処理手段により行い、前記比較処理手段による比較結果を出力手段により出力することを特徴とする。
第１３の発明は、ページ記述言語で記述されたプリント情報をもとにプリントを依頼する側の第１のシステムで出力される第１の出力イメージと、該プリント情報をもとに依頼されたプリント出力を行う側の第２のシステムでプリント出力される第２の出力イメージとに差異が生じたか否かを当該第２のシステムにおけるプリント出力前に検証する出力イメージ事前検証方法において、前記第１のシステムは、前記プリント情報をもとに前記第１の出力イメージを第１のイメージ生成手段により生成し、前記プリント情報および前記第１のイメージを前記第２のシステムに転送手段により転送し、前記第２のシステムは、前記プリント情報をもとに前記第２の出力イメージを第２のイメージ生成手段により生成し、前記第２のイメージと前記第１のイメージとを比較する処理を比較処理手段により行い、前記比較処理手段による比較結果を出力手段により出力することを特徴とする。
【００１８】
【発明の実施の形態】
以下、図面を参照して本発明の実施の形態について説明する。
【００１９】
図１は、本発明の実施の形態である出力イメージ事前検証システムの構成を示す図である。図１において、この出力イメージ事前検証システムは、複数のドラフトプリンタ側システム１０〜ｎと最終出力プリンタ側システム２０とがネットワークＮに接続された構成をとる。
【００２０】
各ドラフトプリンタ側システム１０〜ｎは、プリント出力を依頼する側のシステムである。この各ドラフトプリンタ側システム１０〜ｎは、マウス等のポインティングデバイスやキーボード等によって実現され、各種の指示入力を行う入力部１１、ＣＲＴディスプレイ等によって実現される表示部１２、ＰＤＬで記述されたプリント情報を解釈するＰＤＬ解釈部１３、この解釈された情報をもとに展開処理したドラフトプリンタ用展開イメージ（ドラフトプリントイメージ）を生成する展開処理部１４、展開処理されたドラフトプリントイメージに対して解像度の低減等の所定のイメージ処理を行うイメージ処理部１５、ＰＤＬ解釈部１３の処理対象であり、ＰＤＬで記述されたファイルであるＰＤＬファイルＦ１１，展開処理部１４が生成したドラフトプリントイメージのファイルであるドラフトプリンタ用展開イメージファイルＦ１２，イメージ処理部１５によって処理された情報のファイルであるドラフト出力イメージ情報ファイルＦ１３を少なくとも記憶する記憶部１６、ドラフトプリンタ１８のプリント制御を行うプリンタ制御部１７、各種の文書等を編集して少なくともＰＤＬファイルＦ１１を生成する編集部１９、ネットワークＮとの間の通信接続処理を行うネットワーク接続部ｎｃ１、及び上述した各部の全体制御を行う制御部Ｃ１を有する。
【００２１】
ドラフトプリンタ側システム１０〜ｎでは、編集部１９によって編集された文書に対するＰＤＬファイルＦ１１が記憶部１６に記憶され、ＰＤＬ解釈部１３は、記憶されたＰＤＬファイルＦ１１を取り出して、ＰＤＬで記述されたプリント情報を解釈する。展開処理部１４は、この解釈された情報を展開処理してドラフトプリントイメージを生成し、記憶部１６にドラフトプリンタ用展開イメージファイルＦ１２として記憶する。イメージ処理部１５は、所定のイメージ処理、ここでは所定の低解像度に変換する処理を行い、この処理されたイメージ情報とこのイメージ処理に関する情報であるイメージ処理制御情報とからなるドラフト出力イメージ情報をドラフト出力イメージ情報ファイルＦ１３として記憶部１６に記憶する。この際、ドラフトプリンタ側システム１０〜ｎのユーザは、プリント指示を入力部１１から行うことにより、プリンタ制御部１７を介してドラフトプリンタ１８からドラフトプリンタ用展開イメージファイルＦ１２が示すドラフトプリントイメージを出力して、このドラフトプリントイメージを確認することができ、この確認後に、イメージ処理部１５によってドラフト出力イメージ情報ファイルＦ１３を生成するようにしてもよい。その後、入力部１１からの転送指示によって、ＰＤＬファイルＦ１１及びドラフト出力イメージ情報ファイルＦ１３は、ネットワーク接続部ｎｃ１、ネットワークＮを介して最終出力プリンタ側システム２０に転送される。
【００２２】
このドラフト出力イメージ情報ファイルＦ１３は、図２に示すように、イメージ処理制御情報及び低解像度に変換されたイメージ情報からなる。イメージ処理制御情報は、例えばイメージ情報の大きさを示すイメージ情報サイズ、原点の位置、紙送り方向、縦・横ビット数、イメージ情報の解像度等の制御情報が格納される。ここで、圧縮方式とは、イメージ処理の１つとして所定の圧縮処理を施した場合、この所定の圧縮処理の方式を制御情報として格納する。なお。通信制御情報は、ドラフト出力イメージ情報ファイルＦ１３としては記憶されないが、ネットワークＮを介して最終出力プリンタ側システム２０に転送する際に付加される通信用のヘッダであり、送信元、送信先、通信プロトコル等の通信に必要な制御情報である。
【００２３】
一方、最終出力プリンタ側システム２０は、ドラフトプリンタ側システム１０〜ｎから依頼されたプリントイメージの最終出力を行うとともに、該最終出力前に、この最終出力されるプリントイメージの事前検証を行うシステムである。この最終出力プリンタ側システム２０は、マウス等のポインティングデバイスやキーボード等によって実現され、各種の指示入力を行う入力部２１、ＣＲＴディスプレイ等によって実現される表示部２２、ＰＤＬで記述されたプリント情報を解釈するＰＤＬ解釈部２３、この解釈された情報をもとに展開処理した最終出力プリントイメージを生成する展開処理部２４、ドラフトプリンタ側システム１０〜ｎから転送されたドラフト出力イメージ情報ファイルＦ１３であるドラフト出力イメージ情報ファイルＦ２２内のイメージ処理制御情報をもとに、展開処理部２４が展開処理した最終出力プリントイメージに対してイメージ処理を行うイメージ処理部２５、ドラフトプリンタ側システム１０〜ｎから転送されたＰＤＬファイルＦ２１，ドラフト出力イメージ情報ファイルＦ２２，展開処理部２４が生成した最終出力イメージファイルＦ２３を少なくとも記憶する記憶部２６、最終出力プリンタ２８のプリント制御を行うプリンタ制御部２７、イメージ処理部２５によってイメージ処理されたプリントイメージとドラフト出力イメージ情報ファイルＦ２２内のイメージ情報が示すプリントイメージとを排他的論理和等の比較演算を行って、この比較結果を表示部２２に表示させる比較部２９、ネットワークＮとの間の通信接続処理を行うネットワーク接続部ｎｃ２、及び上述した各部の全体制御を行う制御部Ｃ２を有する。
【００２４】
ここで、図３のフローチャートを参照して最終出力プリンタ側システム２０の検証処理手順について説明する。図３において、最終出力プリンタ側システム２０は、ネットワーク接続部ｎｃ２を介してドラフトプリンタ側システム１０〜ｎから、ＰＤＬファイルＦ１１とドラフト出力イメージ情報ファイルＦ１３を受信し、それぞれＰＤＬファイルＦ２１とドラフト出力イメージ情報ファイルＦ２２として記憶部２６に記憶する（ステップ１０１）。その後、ＰＤＬ解釈部２３は、ＰＤＬファイルＦ２１が示すＰＤＬで記述されたプリント情報を解釈し、この解釈された情報をもとに、展開処理部２４が最終出力プリントイメージを作成し、最終出力イメージファイルＦ２３として記憶部２６に記憶する（ステップ１０２）。その後、イメージ処理部２５は、ドラフト出力イメージ情報ファイルＦ２２からイメージ処理制御情報を取得するとともに、最終出力イメージファイルＦ２３から最終出力プリントイメージを取得し、このイメージ処理制御情報をもとに最終出力プリントイメージに対するイメージ処理、すなわちここでは、所定の低解像度に変換する処理を行う（ステップ１０３）。さらに、比較部２９は、ステップ１０３でイメージ処理されたプリントイメージと転送された出力イメージ情報ファイルＦ２２内のイメージ情報が示すプリントイメージとを比較演算、すなわち排他的論理和演算を行い（ステップ１０４）、その比較演算結果を表示部２２に表示出力する（ステップ１０５）。
【００２５】
その後、制御部Ｃ２は、入力部２１から最終出力プリンタ２８へのプリント出力指示が入力されたか否かを判断し（ステップ１０６）、プリント出力指示が入力された場合には、最終出力プリントイメージをプリンタ制御部２７を介して最終出力プリンタ２８から出力し（ステップ１０７）、プリント出力指示がない場合には、最終出力プリンタ２８からの出力処理を中止する処理を行って（ステップ１０８）、本処理を終了する。
【００２６】
ここで、図４を参照して、ドラフトプリンタ側システム１０〜ｎ及び最終出力プリンタ側システム２０での一連の処理概念について説明する。
【００２７】
図４において、ドラフトプリンタ側システム１０〜ｎ側でプリント依頼者が作成したＰＤＬ（Ｆ１）は、ＰＤＬ解釈部１３によって解釈され、展開処理部１４によって展開処理されたドラフトプリントイメージＩ１を生成する。その後、ドラフトプリントイメージＩ１は、イメージ処理部１５によって低解像化されたプリントイメージＩ２を生成する。そして、ＰＤＬ（Ｆ１）とプリントイメージＩ２とを最終出力プリンタ側システム２０側に転送され、それぞれＰＤＬ（Ｆ１０）とプリントイメージＩ３として受信される。この際、プリントイメージＩ２は、該プリントイメージＩ２を示すイメージ情報に、イメージ処理部１５によるイメージ処理時の制御情報すなわちイメージ処理制御情報が付加されて転送される。ここでのイメージ処理制御情報は、少なくともプリントイメージＩ２の解像度の情報が付加される。
【００２８】
最終出力プリンタ側システム２０側では、受信したＰＤＬ（Ｆ１０）をＰＤＬ解釈部２３が解釈し、展開処理部２４がプリントイメージに展開処理し、最終出力プリントイメージＩ１０を生成する。さらに、イメージ処理部２５は、受信されたイメージ処理制御情報内の解像度をもとに、生成された最終出力プリントイメージＩ１０を当該解像度をもつイメージに変換したプリントイメージＩ１１を生成する。そして、比較部２９は、このイメージ処理したプリントイメージＩ１１と受信したプリントイメージＩ３との排他的論理和演算を行い、この演算結果を表示部２２に表示出力する。最終出力プリンタ側システム２０の操作者は、この表示部２２に表示された演算結果をもとに最終出力プリントイメージＩ１０を検証し、プリント出力してよいとの検証結果を得た場合に、最終出力プリンタ２８から最終出力プリントイメージＩ１０を出力する。
【００２９】
もちろん、最終出力プリンタ側システム２０の操作者は、この検証結果をドラフトプリンタ側システム１０〜ｎのプリント依頼者に通知したり、あるいは、ある程度プリント依頼者から修正が認可されている場合、最も適切な修正を行うようにしてもよい。
【００３０】
ここで、図５から図９を参照して、比較対象の具体的なプリントイメージの差異から生ずる表示イメージについて説明する。なお、図５から図９に示す比較処理では、排他的論理和演算の処理を行い、この処理結果を表示イメージとして表示している。
【００３１】
図５では、ドラフトプリンタ側システム１０〜ｎのイメージ処理で生成されたドラフト側プリントイメージＩ３と最終出力プリンタ側システム２０でイメージ処理で生成された最終出力側プリントイメージＩ１１とが全く同じである場合を示しており、この場合、図５（ａ）に示す英大文字「Ａ」のドラフト側プリントイメージＩ３と図５（ｂ）に示す英大文字「Ａ」の最終出力側プリントイメージＩ１１との排他的論理和演算を行うと、図５（ｃ）に示すように何も表示されない。従って、排他的論理和演算の結果である排他的論理和イメージに何も表示されないときは、ドラフト側プリントイメージＩ３と最終出力側プリントイメージＩ１１とが全く同一のイメージであることを意味する。また、ドラフト側プリントイメージＩ３と最終出力側プリントイメージＩ１１とに差異部分がある場合には、この差異部分が黒部分（黒ドット）として表示され、認識されることになり、この結果を用いて検証が行われる。
【００３２】
図６は、最終出力プリンタ側システム２０で英大文字「Ａ」のイメージが欠落した場合を示しており、この場合、図５（ｃ）に示すように、ドラフト側プリントイメージＩ３が差異部分としてそのまま表示される。
【００３３】
図７は、英大文字「Ａ」に対するフォントが、ドラフトプリンタ側システム１０〜ｎと最終出力プリンタ側システム２０とで異なる場合を示しており、図５（ｃ）に示す排他的論理和イメージは、その差異部分のみが表示されることになる。
【００３４】
図８は、英大文字「Ａ」に対する文字ピッチが、ドラフトプリンタ側システム１０〜ｎと最終出力プリンタ側システム２０とで異なる場合を示しており、図５（ｃ）に示す排他的論理和イメージは、英大文字「Ａ」の文字ピッチのシフト量に応じた差異部分が表示される。
【００３５】
図９は、英大文字「Ａ」が数字「１」に文字化けした場合を示しており、図５（ｃ）に示す排他的論理和イメージは、英大文字「Ａ」に数字「１」が重複表示され、双方の重複部分が削除された表示となる。
【００３６】
ここで、同じＰＤＬをもとにドラフトプリンタ側システム１０〜ｎでイメージ処理したプリントイメージと最終出力プリンタ側システム２０でイメージ処理したプリントイメージとに差異が生ずる原因とこの原因による差異の現象について説明する。このイメージの差異が生ずる原因とこの原因による差異の現象との関係をまとめると次のようになる。すなわち、
１）プリンタの解像度が異なる場合→低解像度の場合、極細線、小さい文字が太めに出力され、高解像度で出力してみて細いことが確認できる。
２）ラスタイメージプロセッサの仕様またはレベルが異なる場合→一部の貼り込みデータが出力できない。
【００３７】
３）プリンタのサポートフォントの有無→フォントが出力できない。違うフォントに置き換えられる。置き換えにより文字ピッチが異なり文字落ちが発生する。
４）プリンタのサポートフォントのバージョンが異なる場合→文字ピッチが異なり、文字落ちが発生する。
５）外字など特別に変更したフォントを搭載している場合→文字化けが発生する。
６）出力時の指示が異なる→出力用紙サイズ、拡大／縮小倍率が異なる。
７）ファイル受け取り時の不具合が生じた場合→ファイルが異なる。複数ファイルの順序が異なる。複数ファイルの一部が欠落する。
【００３８】
また、ドラフトプリンタ側システム１０〜ｎでイメージ処理したプリントイメージと最終出力プリンタ側システム２０でイメージ処理したプリントイメージとの差異の現象と、この差異が生じたときの排他的論理和イメージとの関係をまとめると次のようになる。すなわち、
１１）文字・線の太さが異なる場合→文字の輪郭や線の一部がみえる。
１２）字体が異なる場合→文字のある領域全体に細かい点・線がみえる。
１３）文字化けの場合→文字のある領域の特定場所に細かい点・線がみえる。
１４）文字が空白となる場合→文字のある領域の特定場所に文字がみえる。
１５）文字ピッチが異なる場合→文字のある領域全体に細かい点・線がみえるが、領域の後ろに行くに従ってその頻度が高くなり、文字がみえることもある。
１６）貼り込みデータが出力されない場合→貼り込みデータがみえる。
１７）出力用紙サイズ、拡大／縮小倍率が異なる場合→文字、イメージに関係なく、ページ中に一部内容がみえる。
１８）ファイルが異なる場合→文字、イメージに関係なく、ページ中の一部内容またはページ全体がみえる。
【００３９】
従って、排他的論理和イメージを確認することによって、プリントイメージの差異が生じた部分を特定できるとともに、この差異が生じた原因をも容易に特定できることになる。
【００４０】
このように、ドラフトプリンタ側システム１０〜ｎにおいて展開したドラフトプリントイメージすなわちプリント依頼者が期待するドラフトプリントイメージを低解像化したプリントイメージと、最終出力プリンタ側システム２０において展開した最終出力プリントイメージを同低解像化したプリントイメージとの排他的論理和演算を行い、この演算結果を表示するという容易な処理のみにより、ドラフトプリンタ側システム１０〜ｎにおいて展開したドラフトプリントイメージと最終出力プリントイメージとの差異を最終出力プリンタ側システム２０のみで、プリント出力することなく、確実かつ容易に検証することができる。
【００４１】
しかも、比較対象のプリントイメージは低解像化されているため、ドラフトプリンタ側システム１０〜ｎから最終出力プリンタ側システム２０への転送容量が少なくて済むと同時に、排他的論理和演算の負荷が少なくて済む。
【００４２】
次に、本発明の実施の形態の変形例について説明する。
【００４３】
まず、第１の変形例について説明すると、図１に示す出力イメージ事前検証システムでは、ドラフトプリンタ側システム１０〜ｎのイメージ処理部１５がそのイメージ処理の１つとして、展開処理部１４で展開処理したドラフトプリントイメージを低解像度に変換する処理を行い、この処理結果であるプリントイメージを最終出力プリンタ側システム２０に転送するようにしていたが、第１の変形例では、イメージ処理部１５を設けず、展開処理したドラフトプリントイメージをそのまま最終出力プリンタ側システム２０に転送するようにしている。但し、この場合、ドラフトプリンタ側システム１０〜ｎは、イメージ処理制御情報と同様に、ドラフト出力イメージに該ドラフト出力イメージの解像度を付加して転送する。そして、最終出力プリンタ側システム２０のイメージ処理部２５は、展開処理部２４が展開処理した最終出力プリントイメージを、転送された解像度に一致したプリントイメージに変換する。
【００４４】
ここで、図１０を参照して、第１の変形例によるドラフトプリンタ側システム１０〜ｎ及び最終出力プリンタ側システム２０での一連の処理概念について説明する。
【００４５】
図１０において、ドラフトプリンタ側システム１０〜ｎ側でプリント依頼者が作成したＰＤＬ（Ｆ２０）は、ＰＤＬ解釈部１３によって解釈され、展開処理部１４によって展開処理されたドラフトプリントイメージＩ２０を生成する。その後、ＰＤＬ（Ｆ２０）とドラフトプリントイメージＩ２０とを最終出力プリンタ側システム２０側に転送し、それぞれＰＤＬ（Ｆ３０）とドラフトプリントイメージＩ２１として受信される。この際、上述したように転送されるドラフトプリントイメージＩ２１には、展開処理部１４が展開処理した解像度、すなわちドラフトプリントイメージＩ２１の解像度が付加される。
【００４６】
最終出力プリンタ側システム２０側では、受信したＰＤＬ（Ｆ３０）をＰＤＬ解釈部２３が解釈し、展開処理部２４がイメージに展開処理し、最終出力プリントイメージＩ３０を生成する。さらに、イメージ処理部２５は、受信されたドラフトプリントイメージＩ２１の解像度をもとに、生成された最終出力プリントイメージＩ３０を当該解像度のイメージに変換したプリントイメージＩ３１を生成する。そして、比較部２９は、このプリントイメージＩ３１と受信したドラフトプリントイメージＩ２１との排他的論理和演算を行い、この演算結果を表示部２２に表示出力する。その後、最終出力プリンタ側システム２０の操作者は、表示部２２に表示された演算結果をもとに最終出力プリントイメージＩ３０を検証する。
【００４７】
次に、第２の変形例について説明する。第２の変形例では、図１に示す出力イメージ事前検証システムにおけるイメージ処理部１５，２５及び比較部２９の構成が異なる。すなわち、イメージ処理部１５は、展開処理部１４が展開処理したドラフトプリントイメージのページ数を取得する処理を行い、ドラフトプリンタ側システム１０〜ｎは、このページ数をドラフト出力イメージ情報の代わりに最終出力プリンタ側システム２０に転送する。イメージ処理部２５は、展開処理部２４が展開処理した最終出力プリントイメージのページ数を取得する処理を行う。そして、比較部２９は、転送されたページ数とイメージ処理部２５が取得したページ数とを比較し、この比較結果を表示部２２に表示する。この比較結果は、単にページ数が一致したか否かを表示するようにしてもよいし、一致しないページ数の過不足を表示するようにしてもよい。
【００４８】
これにより、最終出力プリントイメージのページ抜け、このページ数の差異から、ＰＤＬファイル自体の一部欠落、面付け指示の誤り等を、最終出力プリンタ２８からの出力以前に検出し、検証することができる。
【００４９】
次に、第３の変形例について説明する。第３の変形例では、第２の変形例に加えて、イメージ処理部１５がさらにドラフトプリントイメージの文字数、イメージ数を取得し、イメージ処理部２５も最終出力プリントイメージの文字数、イメージ数を取得するようにしている。従って、イメージ処理部１５は、ドラフトプリントイメージのページ数、文字数、及びイメージ数を取得し、イメージ処理部２５は、最終出力プリントイメージのページ数、文字数、及びイメージ数を取得することになる。さらに、比較部２９は、転送されたドラフトプリントイメージ及び最終出力プリントイメージに対するそれぞれのページ数、文字数、及びイメージ数を比較し、この比較結果を表示部２２に表示する。もちろん、イメージ処理部１５，２５は、文字数及びイメージ数のみを取得し、これに対応して比較部２９は、文字数及びイメージ数のみを比較するようにしてもよい。なお、イメージ処理部１５，２５が文字認識処理機能をもつことにより、イメージから文字数及びイメージ数を取得することができる。すなわち、文字認識できるイメージ領域では文字数を出力し、文字認識できないイメージ領域である場合はこの領域をイメージ数として出力する。
【００５０】
これにより、ページ抜けに加えて、文字抜け、文字落ち、イメージ抜けを最終出力プリンタ２８からのプリント出力以前に検出し、検証することができる。
【００５１】
次に、第４の変形例について説明する。第４の変形例では、各イメージ処理部１５，２５がドラフトプリントイメージあるいは最終出力プリントイメージのページを所定のブロックに分割し、この分割されたブロック内のイメージの黒部分の比率を取得し、比較部２９が、このブロック後との黒部分の比率を比較し、この比較結果を表示部２２に表示する。この場合、ドラフトプリンタ側システム１０〜ｎから最終出力プリンタ側システム２０に、所定のブロックの領域を指示する制御情報が転送されることになる。
【００５２】
これにより、イメージ抜けやページ抜け、フォントの代替、ＰＤＬファイル自体の一部欠落、面付け指示の誤り等があったことを検出し、検証することができる。
【００５３】
次に、第５の変形例について説明する。第５の変形例では、各イメージ処理部１５，２５がドラフトプリントイメージあるいは最終出力プリントイメージをページ単位に所定の圧縮方式で圧縮処理を行い、比較部２９が、この圧縮処理に伴うページ単位の圧縮比率を、ページ単位で比較し、この比較結果を表示部２２に表示する。
【００５４】
この結果、圧縮比率には、ページのイメージの特徴があらわれるので、ページ抜け、イメージ抜け等、あるいはＰＤＬファイル自体の一部欠落、面付け指示の誤り等が検出され、最終出力プリンタ２８からのプリント出力以前に最終出力プリントイメージの検証を行うことができる。
【００５５】
第２の変形例から第５の変形例に示した出力イメージ事前検証システムでは、比較結果が数値で出力されるため、さらに比較結果が所定の基準値を越えたか否か等の検証判断を自動的に行うことができる。従って、この検証判断を自動的に行う判断手段を最終出力プリンタ側システムに組み込むことにより、客観的な検証判断を行うことができる。
【００５６】
また、図１に示す本発明の実施の形態あるいは第１の変形例に対して、第２から第５の変形例を適宜組み合わせた構成としてもよい。
【００５７】
さらに、上述した実施の形態、第１から第５の変形例において、ドラフトプリンタ側システム１０〜ｎから最終出力プリンタ側システム２０に転送されるＰＤＬファイルやドラフト出力イメージ情報ファイル、あるいは各種の制御情報は、通常の圧縮方式を用いて圧縮処理されて転送されるようにしてもよい。
【００５８】
【発明の効果】
以上詳細に説明したように、本発明では、ページ記述言語で記述されたプリント情報をもとにプリントを依頼する側の第１のシステムでプリント出力された第１の出力イメージと、該プリント情報をもとに依頼されたプリント出力を行う側の第２のシステムでプリント出力された第２の出力イメージとに差異が生じたか否かを当該第２のシステムにおけるプリント出力前に検証する際、第１のシステムにおいて、第１のイメージ生成手段が、前記第１の出力イメージに対して所定のイメージ処理、例えば所定の低解像度への変換処理を行い、転送手段が、前記プリント情報、前記所定のイメージ処理結果である第１のイメージ及び前記所定のイメージ処理に関する制御情報であるイメージ処理制御情報を前記第２のシステムに転送する。一方、前記第２のシステムにおいて、第２のイメージ生成手段が転送された前記プリント情報をもとに前記第２の出力イメージを生成し、第２のイメージ処理手段が、前記第２の出力イメージに対し、前記イメージ処理制御情報をもとに前記所定のイメージ処理、例えば前記所定の低解像度への変換処理を行い、比較処理手段が、前記第２の出力イメージに対する前記所定のイメージ処理結果である第２のイメージと前記第１のイメージとを比較する処理、例えば排他的論理和演算を行い、表示手段が、前記比較処理手段による比較結果を表示出力するようにしているので、第１の出力イメージと第２の出力イメージとの差異を第２のシステムにおいてプリント出力前に効率的かつ容易に検証することができる利点を有する。
【００５９】
また、前記所定のイメージ処理を、第１の出力イメージあるいは第２の出力イメージのページ数を獲得する処理とし、前記比較処理手段が、前記第１の出力イメージのページ数と第２の出力イメージのページ数とを比較するようにしているので、第２の出力イメージのページ抜け等を容易に検証することができるという利点を有する。
【００６０】
さらに、前記所定のイメージ処理を、第１の出力イメージあるいは第２の出力イメージの文字数及びイメージ数を獲得する処理とし、前記比較処理手段が、前記第１の出力イメージの文字数及びイメージ数と、前記第２の出力イメージの文字数及びイメージ数とのそれぞれを比較するようにしているので、第２の出力イメージの文字抜け、イメージ抜け等を容易に検証することができるという利点を有する。
【００６１】
また、前記所定のイメージ処理を、第１の出力イメージあるいは第２の出力イメージのページ数、文字数、イメージ数を獲得する処理とし、前記比較処理手段を、前記第１の出力イメージのページ数、文字数、イメージ数と、前記第２の出力イメージのページ数、文字数、イメージ数とのそれぞれを比較するようにしているので、ページ抜け、文字抜け、イメージ抜け等を容易に検証することができるという利点を有する。
【００６２】
さらに、前記所定のイメージ処理を、第１の出力イメージあるいは第２の出力イメージの各ページを所定のブロックに分割し、この分割されたブロック内における画素の黒部分の比率を獲得する処理とし、前記比較処理手段を、前記第１の出力イメージの各ブロックの黒部分の比率と、前記第２の出力イメージの各ブロックの黒部分の比率とをそれぞれ貼り込みデータ、フォントの代替等を容易に検証することができるという利点を有する。
【００６３】
また、前記所定のイメージ処理を、前記第１の出力イメージあるいは第２の出力イメージの各ページを所定の圧縮処理で圧縮し、各ページ毎の圧縮処理前に対する圧縮後の圧縮率を獲得する処理とし、前記比較処理手段を、前記第１の出力イメージの各ページ毎の圧縮率と前記第２の出力イメージの各ページ毎の圧縮率とをそれぞれ比較するようにしているので、貼り込みデータの欠落、ＰＤＬファイル自体の一部欠落等を容易に検証することができる。
【００６４】
さらに、別の発明では、第１の出力イメージをイメージ処理せずにそのまま第２のシステムに転送するようにしているので、第２の出力イメージの検証をさらに容易に行うことができるという利点を有する。
【図面の簡単な説明】
【図１】本発明の実施の形態である出力イメージ事前検証システムの構成を示す図。
【図２】ドラフト出力イメージ情報を転送する際の通信フォーマットを示す図。
【図３】最終出力プリンタ側システム２０におけるイメージ検証処理手順を示すフローチャート。
【図４】ドラフトプリンタ側システム１０〜ｎ及び最終出力プリンタ側システム２０での一連の処理概念を示す図。
【図５】比較するプリントイメージが全く同一である場合の排他的論理和イメージの生成を示す図。
【図６】最終出力プリンタ側システムのイメージが欠落している場合における排他的論理和イメージの生成を示す図。
【図７】最終出力プリンタ側システムとドラフトプリンタ側システムとのフォントが異なる場合における排他的論理和イメージの生成を示す図。
【図８】最終出力プリンタ側システムとドラフトプリンタ側システムとの文字ピッチが異なる場合における排他的論理和イメージの生成を示す図。
【図９】最終出力プリンタ側システムのイメージが文字化けした場合における排他的論理和イメージの生成を示す図。
【図１０】第１の変形例によるドラフトプリンタ側システム１０〜ｎ及び最終出力プリンタ側システム２０での一連の処理概念を示す図。
【符号の説明】
１０〜ｎ…ドラフトプリンタ側システム
２０…最終出力プリンタ側システム  Ｎ…ネットワーク
Ｃ１，Ｃ２…制御部  １１，２１…入力部  １２，２２…表示部
１３，２３…ＰＤＬ解釈部  １４，２４…展開処理部
１５，２５…イメージ処理部  １６，２６…記憶部
１７，２７…プリンタ制御部  １８…ドラフトプリンタ  １９…編集部
２８…最終出力プリンタ  ２９…比較部
ｎｃ１，ｎｃ２…ネットワーク接続部  Ｆ１１，Ｆ２１…ＰＤＬファイル
Ｆ１２…ドラフトプリンタ用展開イメージファイル
Ｆ１３，Ｆ２２…ドラフト出力イメージ情報ファイル
Ｆ２３…最終出力イメージファイル
【図１】
0003610703.tif 000002
【図２】
0003610703.tif 000003
【図３】
0003610703.tif 000004
【図４】
0003610703.tif 000005
【図５】
0003610703.tif 000006
【図６】
0003610703.tif 000007
【図７】
0003610703.tif 000008
【図８】
0003610703.tif 000009
【図９】
0003610703.tif 000010
【図１０】
0003610703.tif 000011